(57)【要約】【課題】悪意の利用者により画像形成済みに近い用紙が詐取されることを防止する。【解決手段】実行される印刷ジョブに応じて課金する画像形成装置１は、本画像形成装置１の本体カバーの開放を検出する開放検出部１０３と、印刷ジョブの実行中に、開放検出部１０３により本体カバーの開放が検出されると、印刷ジョブの実行中の本来の動作以外による動作音又は振動を発生させるダミー動作を実行するダミー動作実行部１０４と、を備える。【選択図】図２
2017102195.tif 000002
【特許請求の範囲】
【請求項１】
実行される印刷ジョブに応じて課金する画像形成装置であって、
本画像形成装置の本体カバーの開放を検出する開放検出部と、
前記印刷ジョブの実行中に、前記開放検出部により前記本体カバーの開放が検出されると、前記印刷ジョブの実行中の本来の動作以外の動作音又は振動を発生させる予め定められたダミー動作を実行するダミー動作実行部と、を備える画像形成装置。
【請求項２】
前記ダミー動作実行部が、前記印刷ジョブの実行中に、前記開放検出部により前記本体カバーの開放が検出されると、前記ダミー動作を実行する状態に設定し、
前記印刷ジョブが完了すると、前記設定を解除する請求項１に記載の画像形成装置。
【請求項３】
前記ダミー動作実行部が、前記課金のカウントアップを行うタイミングの前に、前記ダミー動作を実行する請求項２に記載の画像形成装置。
【発明の詳細な説明】
【技術分野】
【０００１】
本発明は、画像形成装置に関し、特に、印刷物の詐取を防ぐ技術に関する。
【背景技術】
【０００２】
コピー機等の画像形成装置は、印刷ジョブ中にジャム（紙詰まり）が発生すると、利用者は本体カバーを開けて詰まった紙（仕掛かり用紙）を取り除く必要がある。仕掛かり用紙については、画像が全く形成されていないものもあれば、定着処理が施され、完成品と実質変わらないものもある。
【０００３】
画像形成装置には、実行される印刷ジョブに応じて課金するものがあるが、作為的にジャムを発生させて、印刷ジョブを停止させ、課金のカウントアップ前に、完成品と変わらない仕掛かり用紙を詐取される、すなわち、完成品がただ取りされてしまうという問題がある。
【０００４】
このような詐取を防止する技術として、下記特許文献１には、ジャムが発生したときに、仕掛かり用紙に対して穿孔処理（パンチング）を施し、正常な用紙として使用できないものとすることが開示されている。
【先行技術文献】
【特許文献】
【０００５】
【特許文献１】特開２００４−３５４８２４号公報
【発明の概要】
【発明が解決しようとする課題】
【０００６】
しかしながら、上記特許文献１に記載された技術では、印刷ジョブの実行中に本体カバーが開けられた場合、パンチングできず、完成品がただ取りされてしまうおそれがあり、また、穿孔装置等の部品の追加が必要である。
【０００７】
本発明は、上記の事情に鑑みなされたものであり、印刷ジョブの実行中に本体カバーが開けられたとしても、完成品が詐取される可能性を低減させることを目的とする。
【課題を解決するための手段】
【０００８】
本発明の一局面に係る画像形成装置は、実行される印刷ジョブに応じて課金する画像形成装置であって、本画像形成装置の本体カバーの開放を検出する開放検出部と、前記印刷ジョブの実行中に、前記開放検出部により前記本体カバーの開放が検出されると、前記印刷ジョブの実行中の本来の動作以外による動作音又は振動を発生させる予め定められたダミー動作を実行するダミー動作実行部と、を備える。
【発明の効果】
【０００９】
印刷ジョブの実行中に本体カバーを開放する行為は、故障原因になる場合があるため、通常の使用時には推奨されない。そのため、印刷ジョブの実行中に本体カバーが開放されるのは、通常の行為ではなく、悪意のある利用者が仕掛かり用紙を詐取することを目的とした行為であるおそれがある。
【００１０】
本発明によれば、印刷ジョブの実行中に本体カバーの開放が検出されると、本来の動作以外による動作音又は振動を発生させるダミー動作が実行されるので、悪意のある利用者を、まだ印刷動作が終わっていないのかと勘違いさせて混乱させることができる。このため、悪意のある利用者に、仕掛かり用紙を画像形成装置内部から抜き出そうとする意欲を低減させることが可能である。
【図面の簡単な説明】
【００１１】
【図１】本発明の一実施形態に係る画像形成装置の構造を示した模式的な部分断面正面図である。
【図２】第１実施形態に係る画像形成装置の主要内部構成を概略的に示した機能ブロック図である。
【図３】表示部に表示される操作画面の一例を示した図である。
【図４】画像形成装置によるダミー動作設定処理の一例を示すフローチャートである。
【図５】画像形成装置によるダミー動作処理の一例を示すフローチャートである。
【発明を実施するための形態】
【００１２】
以下、本発明の一実施形態に係る画像形成装置について図面を参照して説明する。図１は、本発明の第１実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、原稿読取部５、画像形成部１２、定着部１３、及び給紙部１４を含んで構成されている。
【００１３】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１４】
画像形成装置１で原稿読取動作が行われる場合について説明する。原稿給送部６により給送されてくる原稿、又は原稿載置ガラス１６１に載置された原稿の画像を、原稿読取部５が光学的に読み取り、そして画像データを生成する。原稿読取部５により生成された画像データは、内臓ＨＤＤ（Hard Disk Drive）、又はネットワーク接続されたコンピューター等に保存される。
【００１５】
原稿読取部５は、光源射部及びＣＣＤ（Charge Coupled Device）センサー等を有する読取機構１６３を備えており、原稿読取部５は、光照射部を使って原稿を照射し、その反射光をＣＣＤセンサーで受光することによって、原稿から画像を読み取る。
【００１６】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録紙（記録媒体）としての用紙Ｐにトナー像を形成する。
【００１７】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１８】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１９】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００２０】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００２１】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００２２】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２３】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２４】
定着部１３は、熱圧着によりトナー像を用紙Ｐに定着させるものであり、定着処理が施されたカラー画像形成済みの用紙Ｐは、排出ローラー対１５９を介して排出トレイ１５１に排出されることになる。
【００２５】
排出センサー１９１及び定着センサー１９２は、搬送路１９０によって搬送される用紙Ｐを検知するセンサーであり、排出センサー１９１は、排出ローラー対１５９の近くに設置され、排出トレイ１５１に排出される用紙Ｐを検知し、定着センサー１９２は、定着部１３の下流側に設置され、定着部１３を通過した用紙Ｐを検知する。
【００２６】
給紙部１４は、複数の給紙カセット１４１を備え、及び各給紙カセット１４１に収容された用紙Ｐをピックアップするためのピックアップローラー１４５を含んで構成され、操作者による指示等で指定されたサイズの用紙Ｐをピックアップするように、対応するピックアップローラー１４５を回転駆動させる。ピックアップローラー１４５によりピックアップされた用紙Ｐは、搬送ローラー対１９によって、ニップ部Ｎに搬送される。
【００２７】
次に、画像形成装置１で両面印刷が行われる場合について説明する。画像形成部１２により一方の面に画像が形成された用紙Ｐを、排出ローラー対１５９に挟まれた状態とした後、用紙Ｐを排出ローラー対１５９によりスイッチバックさせて反転搬送路１９５に送り、搬送ローラー対１９により用紙Ｐを搬送方向上流域へ再度搬送する。これにより、用紙Ｐのもう一方の面にも画像を形成することができる。
【００２８】
図２は、第１実施形態に係る画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、給紙部１４、排出センサー１９１、定着センサー１９２、開閉センサー１９３、操作部４７、ファクシミリ通信部７１、及びネットワークインターフェイス部９１を含んで構成されるとともに、課金装置１１０（例えば、コインベンダー）と接続して使用される。なお、図１に示した画像形成装置１と同様の構成部分については同符号を付し、ここではその詳しい説明を省略する。
【００２９】
原稿給送部６は、読取対象の原稿を原稿読取部５へ給送する。
【００３０】
原稿読取部５は、制御ユニット１０を構成する制御部１００による制御の下、光照射部及びＣＣＤセンサー等を有する読取機構１６３（図１）を備えており、原稿読取部５は、光照射部を使って原稿を照射し、その反射光をＣＣＤセンサーで受光することによって、原稿から画像を読み取る。
【００３１】
画像形成部１２は、印刷すべき画像のトナー像を用紙（記録媒体）上に形成する。
【００３２】
画像メモリー３２は、原稿読取部５による読み取りで得られた原稿の画像データを一時的に記憶したり、画像形成部１２のプリント対象となるデータを一時的に保存したりするための領域である。
【００３３】
ＨＤＤ９２は、原稿読取部５によって読み取られた原稿画像等を記憶する大容量の記憶装置である。
【００３４】
定着部１３は、用紙上のトナー像を、熱圧着により用紙に定着させる。
【００３５】
給紙部１４は、給紙カセット１４１（図１）を備え、給紙カセット１４１に収容された用紙をピックアップして搬送する。
【００３６】
排出センサー１９１及び定着センサー１９２は、搬送路１９０によって搬送される用紙Ｐを検知し、開閉センサー１９３は、本体カバーの開閉を検知する。
【００３７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００３８】
ファクシミリ通信部７１は、図示しない符号化・複合化部、変復調部、及びＮＣＵ（Network Control Unit）等を備え、公衆電話回線網を用いてのファクシミリの通信を行うものである。
【００３９】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（ＰＣ）等の外部装置２０と種々のデータの送受信を行うものである。
【００４０】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、設定受付部１０１と、課金処理部１０２と、開放検出部１０３と、ダミー動作実行部１０４と、を備えている。
【００４１】
制御ユニット１０は、ＨＤＤ９２にインストールされている制御プログラムに従った動作により、制御部１００、設定受付部１０１、課金処理部１０２、開放検出部１０３、及びダミー動作実行部１０４として機能するものである。但し、制御部１００等は、制御ユニット１０による制御プログラムに従った動作によらず、それぞれハードウェア回路により構成することも可能である。以下、特に触れない限り、各実施形態について同様である。
【００４２】
制御部１００は、原稿給送部６、画像読取部５、画像形成部１２、画像メモリー３２、ＨＤＤ９２、定着部１３、給紙部１４、排出センサー１９１、定着センサー１９２、開閉センサー１９３、操作部４７、ファクシミリ通信部７１、及びネットワークインターフェイス部９１と接続され、これら各部の駆動制御を行う。
【００４３】
設定受付部１０１は、操作者からの各種設定を受け付けるものである。設定受付部１０１は、例えば、操作部４７が操作されて「課金タイミング設定」が操作者から要求されると、図３に示すような、選択ボタンＢ１，Ｂ２が表示された課金タイミング設定画面Ｄ１を表示部４７３に表示させる。設定受付部１０１は、利用者による操作部４７を介した選択ボタンＢ１，Ｂ２の操作により、課金タイミングとして、排出トレイ１５１への排出時、又は定着部１３の通過後のいずれとするかの設定を受け付ける。
【００４４】
課金処理部１０２は、印刷ジョブに応じて課金するものであり、設定受付部１０１により受け付けられた課金タイミングの到来時に、課金のカウントアップを要求する信号を課金装置１１０へ送信する。課金タイミングが「排出トレイ１５１への排出時」に設定されている場合、課金処理部１０２は、排出センサー１９１で用後Ｐの後端が検知されると、当該信号を課金装置１１０へ送信する。課金処理部１０２は、課金タイミングが「定着部１３の通過後」に設定されている場合、定着センサー１９２で用後Ｐの後端が検知されると、当該信号を課金装置１１０へ送信する。
【００４５】
開放検出部１０３は、開閉センサー１９３による検知結果に基づいて、本体カバーが開放されたか否かを検出する。
【００４６】
ダミー動作実行部１０４は、印刷ジョブの実行中に、開放検出部１０３により本体カバーの開放が検出されると、印刷ジョブの実行中における本来の動作以外による動作音又は振動を発生させる予め定められたダミー動作を実行する。
【００４７】
次に、画像形成装置１の制御ユニット１０で行われるダミー動作設定の一例について、図４に示したフローチャートに基づいて説明する。なお、この処理動作は、印刷ジョブが開始されたときに行われる。
【００４８】
まず、ダミー動作実行部１０４が、開放検出部１０３により本体カバーの開放が検出されたか否かを判断する（Ｓ１）。ダミー動作実行部１０４が、開放検出部１０３により本体カバーの開放が検出されたと判断すれば（Ｓ１でＹＥＳ）、ダミー動作実行部１０４が、ダミー動作設定を有効にするために、設定フラグＦを「１」にする（Ｓ２）。この後、ダミー動作実行部１０４は、画像形成装置１の動作機構に、予め定められたダミー動作を実行させる（Ｓ３）。
【００４９】
その後、ダミー動作実行部１０４が、印刷ジョブが完了していると判断した場合は（Ｓ４でＹＥＳ）、ダミー動作設定を解除するために、設定フラグＦを「０」にする（Ｓ５）。ダミー動作実行部１０４は、印刷ジョブが完了するまでは（Ｓ４でＮＯ）、Ｓ４の処理を繰り返す。この後、ダミー動作実行部１０４は、上記ダミー動作を終了させる（Ｓ６）
【００５０】
また、Ｓ１において、ダミー動作実行部１０４が、開放検出部１０３により本体カバーの開放が検出されていないと判断すれば（Ｓ１でＮＯ）、ダミー動作実行部１０４が、印刷ジョブが完了しているか否かを判断し（Ｓ７）、ダミー動作実行部１０４が、印刷ジョブが完了していると判断すれば（Ｓ７でＹＥＳ）、処理を終了する。ダミー動作実行部１０４は、印刷ジョブが完了するまでは（Ｓ７でＮＯ）、本体カバーの開放が検出されたか否かの上記判断を続ける（Ｓ１）。
【００５１】
次に、画像形成装置１によるダミー動作処理の一例について、図５に示すフローチャートに基づいて説明する。画像形成装置１は、図４を参照して説明したように、ダミー動作実行部１０４は、印刷ジョブの実行中に本体カバーが開放されたときに上記ダミー動作を行わせるが、更に、以下に示すタイミングで上記ダミー動作を行わせるようにしてもよい。
【００５２】
図４に示したＳ２で設定フラグＦが「１」に設定されたとき、ダミー動作実行部１０４は、設定受付部１０１により受け付けられた課金タイミングが「排出トレイ１５１への排出時」、「定着部１３の通過後」のいずれであるかを判断する（Ｓ１１）。ダミー動作実行部１０４が、課金タイミングが「排出トレイへの排出時」であると判断した場合（Ｓ１１で排出時）、ダミー動作実行部１０４が、排出センサー１９１による検知結果に基づいて、用紙Ｐが検出されたか否かを判断する（Ｓ１２）。
【００５３】
ダミー動作実行部１０４が、用紙Ｐが検出された（すなわち、間もなく課金のタイミングである）と判断すれば（Ｓ１２でＹＥＳ）、上述した予め定められたダミー動作を実行する（Ｓ１３）。
【００５４】
ダミー動作としては、印刷ジョブの本来の動作に影響を与えない動作、例えば、用紙Ｐが存在していない搬送路１９０部分に配置されている搬送ローラー１９を回転させる動作（搬送ローラー１９の駆動モーターを駆動する動作）や、各駆動モーターから被駆動体に駆動力を伝達するためのクラッチの接続非接続を切り換える動作等が挙げられる。すなわち、ダミー動作実行部１０４は、画像形成装置１において上記各ダミー動作を行うために動作が必要な各動作機構（搬送ローラー１９の上記駆動モーターや、上記クラッチ等）に、ダミー動作のための動作を行わせる。また、ダミー動作として、これら複数の異なる動作を同時に実行したり、順次実行したりするようにしてもよい。
【００５５】
その後、ダミー動作実行部１０４は、設定フラグＦが「０」になったと判断したときに（Ｓ１４でＹＥＳ）、ダミー動作を終了する（Ｓ１５）。ダミー動作実行部１０４は、設定フラグＦが「０」になるまでは（Ｓ１４でＮＯ）、Ｓ１２及びＳ１３の処理を繰り返す。
【００５６】
なお、Ｓ１２において、ダミー動作実行部１０４が、用紙Ｐが検出されていないと判断すれば（Ｓ１２でＮＯ）、処理はＳ１４へ進む。
【００５７】
Ｓ１１において、ダミー動作実行部１０４が、課金タイミングが「定着部の通過後」であると判断すれば（Ｓ１１で定着後）、ダミー動作実行部１０４が、定着センサー１９２による検知結果に基づいて、用紙Ｐが検出されたか否かを判断する（Ｓ１７）。
【００５８】
ダミー動作実行部１０４が、用紙Ｐが検出された（すなわち、間もなく課金のタイミングである）と判断すれば（Ｓ１７でＹＥＳ）、上記予め定められたダミー動作を実行する（Ｓ１８）。
【００５９】
その後、ダミー動作実行部１０４は、設定フラグＦが「０」になったと判断したときに（Ｓ１９でＹＥＳ）、ダミー動作を終了する（Ｓ２０）。ダミー動作実行部１０４は、設定フラグＦが「０」になるまでは（Ｓ１９でＮＯ）、Ｓ１７及びＳ１８の処理を繰り返す。
【００６０】
なお、Ｓ１７において、ダミー動作実行部１０４が、用紙Ｐが検出されていないと判断すれば（Ｓ１７でＮＯ）、処理はＳ１９に進む。
【００６１】
上記実施形態によれば、印刷ジョブの実行中に本体カバーの開放が検出される（例えば、仕掛かり用紙の詐取を目的として本体カバーが開放される）と、本来の動作以外による動作音又は振動を発生させるダミー動作が実行される。これにより、画像形成装置１に特別な機構を追加することなく、悪意のある利用者を、まだ印刷動作が終わっていないのかと勘違いさせて混乱させることができる。このため、悪意のある利用者に、仕掛かり用紙を画像形成装置内部から抜き出そうとする意欲を低減させることが可能である。
【００６２】
また、悪意のある利用者が、画像形成装置１の動作音に基づいて、定着動作が終わるタイミングを予測して、画像形成完了に近い仕掛かり用紙を画像形成装置１内から取り出そうとしたとしても、上記ダミー動作で発生する動作音により混乱し、当該タイミングの予測が困難になる。
【００６３】
また、印刷ジョブの実行中に本体カバーを開ける行為は、悪意のある利用者のみが行う可能性が高いので（悪意のない利用者は画像形成が完了して用紙Ｐが正常に排出されるのを待つため）、上記のように、印刷ジョブの実行中に本体カバーが開放されたときにダミー動作を行うようにすることで、悪意のない利用者に対しては、ダミー動作が実行されないようにすることができる。
【００６４】
本発明は上記実施の形態の構成に限られず種々の変形が可能である。上記実施形態では、課金タイミングで上記ダミー動作を行うものとしているが、例えば、ダミー動作実行部１０４が、給紙動作中に、給紙動作に影響を与えない定着部１３を構成するモーター等を利用してダミー動作を行う等でもよく、上記で説明した動作にダミー動作を限定するものではない。
【００６５】
また、上記実施形態では、本発明に係る画像形成装置の一実施形態として複合機を用いて説明しているが、これは一例に過ぎず、他の電子機器、例えば、コピー機能、プリンター機能、スキャナー機能、ファクシミリ機能を有した他の画像形成装置でもよい。
【００６６】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００６７】
１        画像形成装置
１０      制御ユニット
１００    制御部
１０３    開放検出部
１０４    ダミー動作実行部
１１０    課金装置
【図１】
2017102195.tif 000003
【図２】
2017102195.tif 000004
【図３】
2017102195.tif 000005
【図４】
2017102195.tif 000006
【図５】
2017102195.tif 000007